(57)【要約】【課題】例えば金属、非金属の２種の壁面パネルであっても、そのコーナー連結を可能とする壁面パネルのコーナー連結構造を提供する。【解決手段】突条部２ｂを受容する凹溝５ａを備え第１壁面パネルＷ１の側端部裏面に添設されるパネル取付基材５と、該パネル取付基材５と前記突条部２ｂ及び該突条部２ｂを折曲形成する為にパネル材２を裏面側に直角に折り曲げた折曲形成基部２ａとを挟装して一体とする支持具６と、断面Ｌ字形のジョイナー７とよりなり、前記ジョイナー７の直交した夫々の片７ａの外面に形成された複数の突起１１、１２を、上記支持具６に形成された第１壁面パネル側係止孔９及び前記第２壁面パネルＷ１の中空柱４の側壁部に形成された第２壁面パネル側係止孔１０に夫々係合させることによって第１壁面パネルＷ１及び第２壁面パネルＷ２を上記ジョイナー７を介して連結することを特徴とする。【選択図】図１
2006090060.tif 000002
【特許請求の範囲】
【請求項１】
側端部の裏面側にパネル材の折曲による縦方向の突条部を備えた第１壁面パネルと、側端部の裏面側に縦方向の中空柱を一体に備えた第２壁面パネルとをコーナー部において連結する構造であって、
前記突条部を受容する凹溝を備え前記第１壁面パネルの側端部裏面に添設されるパネル取付基材と、該パネル取付基材と前記突条部及び該突条部を折曲形成する為にパネル材を裏面側に直角に折り曲げた折曲形成基部とを挟装して一体とする支持具と、断面Ｌ字形のジョイナーとよりなり、上記支持具には複数の第１壁面パネル側係止孔が、上記パネル取付基材には該第１壁面パネル側係止孔よりも大きな凹部が、前記第２壁面パネルの中空柱の側壁部には複数の第２壁面パネル側係止孔が、長手方向に沿って夫々隔設され、一方、前記ジョイナーの直交した夫々の片の外面には上記各係止孔に対応する複数の突起が長手方向に沿って隔設され、これら複数の突起を上記係止孔に夫々係合させることによって第１壁面パネル及び第２壁面パネルを上記ジョイナーを介して連結することを特徴とする壁面パネルのコーナー連結構造。
【請求項２】
請求項１において、
上記第１壁面パネル側係止孔が、前記支持具に開設された径大部分と径小部分とが連続するだるま孔からなり、上記パネル取付基材に形成され凹部が該だるま孔に対応し且つその径大部分と略同幅若しくはやや大とされた長穴からなり、また第２壁面パネル側係止孔が、前記中空柱の側壁部に開設された上記と同様のだるま孔よりなり、一方、前記ジョイナーに形成された突起は、上記各だるま孔の径大部分よりやや小径の先側部分と、だるま孔の径小部分よりやや小径の基部側部分とよりなることを特徴とする壁面パネルのコーナー連結構造。
【請求項３】
請求項２において、
上記だるま孔は、径大部分が上側に、径小部分が下側になるよう形成されていることを特徴とする壁面パネルのコーナー連結構造。
【発明の詳細な説明】
【技術分野】
【０００１】
本発明は、浴室ユニット等のコーナー部で隣接する異なった種類の壁面パネルの連結構造に関するものである。
【背景技術】
【０００２】
従来の浴室ユニットは、１種類の壁面パネルを複数連結して構成され、コーナー部で隣接する壁面パネル間はその壁面パネル用の連結用部材で連結固定される。特許文献１は、同一種類の壁面パネル同士を相互に連結する連結構造の１例を示すものである。また、図６（ａ）（ｂ）は、従来の壁面パネルのコーナー連結構造の他の例を示す説明図である。以下、図６（ａ）（ｂ）により従来の壁面パネルのコーナー連結構造について説明する。
【０００３】
図６（ａ）は、金属基材の表面を樹脂シートで覆った壁面パネル（以下、第１壁面パネル）１００同士のコーナー部での連結状態を室内側から見た要部の斜視図である。本例の第１壁面パネル１００は、その側端部に延出される表面化粧板としての上記金属基材を裏面側に直角に折曲し、更に折り返して他側端部側に向くよう形成された縦方向の山形突条部からなる連結部１０１を備えている。そして、コーナー部では、隣接する両第１壁面パネル１００の連結部１０１に、鈎形に折曲形成された１対の係止片２０１を有する連結用ジョイナー２００でスナップ式に抱え込むようにして装着することにより、両第１壁面パネル１００、１００がコーナー連結される。図例では、連結用ジョイナー２００を背後から圧嵌めするようにしている。
【０００４】
また、図６（ｂ）は、基材をセメント板とした壁面パネル（以下、第２壁面パネルという）３００同士のコーナー部での連結状態を室外側から見た要部の斜視図である。各第２壁面パネル３００は、その側端部裏面に固着一体とされた縦方向の中空柱３０１を備えており、断面Ｌ字形のジョイナー４００をコーナー部の両第２壁面パネル３００の中空柱３０１にねじ４０１にて止着することにより、両第２壁面パネル３００、３００がコーナー連結される。この場合、ねじ４０１による止着の他に、だるま孔と突起との契合により中空柱３０１とジョイナー４００との連結がなされることもある。
【特許文献１】特開２００３−２７６３３号公報
【発明の開示】
【発明が解決しようとする課題】
【０００５】
ところで、浴室ユニットでは、上記のように同種の壁面パネルを全壁面に配置することが一般的であるが、近年、ユニットにおける壁面を設置場所等の条件に応じて、上記第１壁面パネル１００や第２壁面パネル３００のように異なる種類のものを組み合わせ構築することが望まれるようになった。しかし、上記のようなジョイナー２００、４００は１種類の壁面パネル同士を連結するようにしか構成されておらず、上記要望に応えることができなかった。
【０００６】
本発明は、このような事情に鑑みなされたもので、その目的は、例えば金属、非金属の２種の壁面パネルであっても、そのコーナー連結を可能とする壁面パネルのコーナー連結構造を提供することにある。
【課題を解決するための手段】
【０００７】
上記目的を達成するために、請求項１の発明に係る壁面パネルのコーナー連結構造は、側端部の裏面側にパネル材の折曲による縦方向の突条部を備えた第１壁面パネルと、側端部の裏面側に縦方向の中空柱を一体に備えた第２壁面パネルとをコーナー部において連結する構造であって、前記突条部を受容する凹溝を備え前記第１壁面パネルの側端部裏面に添設されるパネル取付基材と、該パネル取付基材と前記突条部及び該突条部を折曲形成する為にパネル材を裏面側に直角に折り曲げた折曲形成基部とを挟装して一体とする支持具と、断面Ｌ字形のジョイナーとよりなり、上記支持具には複数の第１壁面パネル側係止孔が、上記パネル取付基材には該第１壁面パネル側係止孔よりも大きな凹部が、長手方向に沿って夫々隔設され、一方、前記ジョイナーの直交した夫々の片の外面には上記各係止孔に対応する複数の突起が長手方向に沿って隔設され、これら複数の突起を上記係止孔に夫々係合させることによって第１壁面パネル及び第２壁面パネルを上記ジョイナーを介して連結することを特徴とする。
【０００８】
請求項２の発明は、上記において、上記第１壁面パネル側係止孔が、前記支持具に開設された径大部分と径小部分とが連続するだるま孔からなり、上記パネル取付基材に形成され凹部が該だるま孔に対応し且つその径大部分と略同幅若しくはやや大とされた長穴からなり、また第２壁面パネル側係止孔が、前記中空柱の側壁部に開設された上記と同様のだるま孔よりなり、一方、前記ジョイナーに形成された突起は、上記各だるま孔の径大部分よりやや小径の先側部分と、だるま孔の径小部分よりやや小径の基部側部分とよりなることを特徴とする。この場合、請求項３の発明のように、上記だるま孔は、径大部分が上側に、径小部分が下側になるよう形成されているものが望ましく採用される。
【発明の効果】
【０００９】
請求項１の発明に係る壁面パネルのコーナー連結構造によれば、前記第１壁面パネルの側端部裏面に、前記パネル取付基材を前記支持具を介して添設し、このパネル取付基材と第２壁面パネルの側端部裏面に一体とされた中空柱とを断面Ｌ字形のジョイナーにより連結することにより、互いに種類の異なる第１壁面パネル及び第２壁面パネルをコーナー連結することができる。従って、異なる種類の壁面パネルを組み合わせて壁面を構築したいとする要望に的確に応えることができる。そして、同種類の壁面パネルが隣接するコーナー部分には、前記従来例に示す連結方法等が採用可能で、これらの適宜組み合わせにより設置場所等の条件に応じた多様な壁面の組立構築が実現される。
【００１０】
そして、請求項２の発明のように、第１壁面パネル及び第２壁面パネルとジョイナーとの結合をだるま孔と突起との契合により行うようにすれば、壁面の連結組立作業が簡単且つ確実になされる。そして、この場合、請求項３の発明のように、上記だるま孔が、その径大部分が上側に、径小部分が下側になるよう形成されているものとすれば、第１壁面パネル及び第２壁面パネルを所定のコーナー位置の近傍に設置し、更に、ジョイナーを両パネル間に配置し、両パネルをコーナー部に向け少し横移動させ、各だるま孔の大径部に突起を挿入させた上でジョイナーを上から軽く叩くようにして下動させれば、だるま孔の小径部に突起の小径基部側部分が嵌入し、上記契合が簡易になされる。
【発明を実施するための最良の形態】
【００１１】
以下に本発明の最良の実施の形態について、図面に基づいて説明する。図１は本発明の壁面パネルのコーナー連結構造の一例を示す横断面図、図２はパネル取付基材に支持具を仮固定する要領を示す斜視図であり、（ａ）はその前段階を、（ｂ）は仮固定した状態を示す。図３はパネル取付基材を第１壁面パネルの側端部折曲部に宛がい折曲部とパネル取付基材とを支持具で挟装一体に支持させる要領を示す斜視図であり、図４は第１壁面パネルと第２壁面パネルとをジョイナーを介してコーナー連結する要領を示す斜視図である。図５はユニットバスルームの一例を示す平面図である。なお、以下に説明する第１壁面パネルＷ１は、基材が金属板（鋼板）で形成されたものであり、第２壁面パネルＷ２は、基材がセメント板などの非金属材料で形成されたものである。
【実施例】
【００１２】
本発明のコーナー連結構造が適用されるユニットバスルームの概略を図５に基づき説明する。図５では、４面の壁面のうち１面を第２壁面パネルＷ２で、他の３面を第１壁面パネルＷ１で形成するようにしたものを示している。すなわち、図中、コーナーＡ、Ｂでは、第１、第２壁面パネルＷ１、Ｗ２を相互に連結させる必要がある。ここに、第１壁面パネルＷ１の代表的なものは、アルミ亜鉛鋼板などの金属板を基材として、その表面にＰＥＴ樹脂などの表面化粧層を形成し、裏面にベースフレームを一体形成し、基材の両側端部を折曲して、縦方向の突条部を形成したものが採用される。また、第２壁面パネルＷ２は、特殊なセメント板などを基材として、その表面にベースコート層、トップコート層を形成し、裏面にバックコート層を形成し、両側端部のバックコート層の裏に、補強、連結の為に、アルミニウムなどで成型された縦方向の中空柱を溶接や接着で取り付けた構造のものが採用される。これらの詳細構造は後記する。
【００１３】
第１壁面パネルＷ１と第２壁面パネルＷ２とは、以上のような構造的差異があるが、その構造上の特徴から、第２壁面パネルＷ２は、第１壁面パネルＷ１よりも厚肉に形成されているのが一般的である。即ち、両壁面パネルＷ１、Ｗ２は、連結すべきパネル側端部の形状に大きな差異があり、それぞれの側端部に合った形状の連結用部材を必要とするものである。本発明のコーナー連結構造はコーナーＡ、Ｂに適用されるものであるが、コーナーＣ、Ｄでは同種の壁面パネルの連結となる為、ここには従来の連結構造が採用される。
【００１４】
図１において、第１壁面パネルＷ１は、板金加工等により成形されたベースフレーム１に、上記のように化粧仕上げがなされた表面化粧板としての金属製パネル材（基材）２を一体として構成されている。パネル材２の側端部は、裏面側に直角に折り曲げられて折曲形成基部２ａとされ、更に、この折曲形成基部２ａが第１壁面パネルＷ１の他側端部側に向くよう山形状に折り返されて縦方向の突条部２ｂとされている。ベースフレーム１の上端部には天井パネル（不図示）取付用の起立片１ａが形成されている（図３参照）。第２壁面パネルＷ２は、上記のように表面化粧仕上げがなされたセメント板３と、その側端部裏面に固着一体とされたアルミニウム等の押出或いは板金加工により成形された縦方向の中空柱４とより構成されている。このように構造の異なる２種類の第１壁面パネルＷ１、第２壁面パネルＷ２は、コーナー部において、パネル取付基材５、支持具６及び断面Ｌ字形のジョイナー７を介して図１に示すように連結される。以下、その連結の要領について詳述する。
【００１５】
図２〜図４において、パネル取付基材５は中実柱状の合成樹脂の押出材からなり、その１側面には、長手方向に沿って上記突条部２ｂを受容し得る断面略三角形の凹溝５ａが形成され、同側面にはこの凹溝５ａに長軸が平行となる長穴（長円或いは楕円）５ｂが複数個長手方向に沿って適宜間隔毎に掘設されている。このパネル取付基材５は、合成樹脂によるものに限らず金属製でもよく、金属製の場合は中空柱状体が用いられる。
【００１６】
支持具６は、金属板の板金加工により製せられるもので、図２（ａ）の白抜矢示のように、パネル取付基材５に対しその側部より嵌合し得るよう平行な２側壁部（挟片）６ａ、６ａとこれらを繋ぐ底壁部６ｃとよりなる断面コ字形に形成されたものである。この支持具６の１側壁部６ａには、上記パネル取付基材５の長穴５ｂに対応する位置に複数のだるま孔（第１壁面パネル側係止孔）８が開設されている。このだるま孔８は、径大部分８ａと径小部分（長孔部分）８ｂとが上下に連続する孔であり、その長軸が支持具６の長手方向に沿い、且つその長さが上記長穴５ｂの長軸長さと略等しいかやや大とされている。また、径大部分８ａの径は上記長穴５ｂの幅と略等しいかやや大とされ、後記するように、支持具６をパネル取付基材５に嵌合させたときには（図３参照）、だるま孔８と長穴５ｂとが対合し、これらを共役する第１壁面パネル側係止部９を形成する。支持具６の底壁部には、支持具６をビス６ｃ（図３参照）によりパネル取付基材５に止着固定する為のビス孔６ｄが穿設されている。
【００１７】
支持具６は、図２（ａ）の白抜矢示方向より、パネル取付基材５に嵌合される。図２（ｂ）は、支持具６を半嵌合し仮固定した状態を示し、この状態から、第１壁面パネルＷ１の突条部２ｂをパネル取付基材５の凹溝５ａに宛がい、更に支持具６を押し込むことによって、図３に示すように、突条部２ｂを凹溝５ａに受容すると共に折曲形成基部２ａとパネル取付基材５とを上記平行な２側壁部６ａ、６ａで挟装するように支持具６を嵌合させる。次いで、ビス６ｃをビス孔６ｄに挿入してパネル取付基材５に止着させることによって、支持具６がパネル取付基材５に固定され、これによってパネル取付基材５が第１壁面パネルＷ１の側端部裏面に固着一体とされる。この状態では、だるま孔８と長穴５ｂとが対合し、上述の通りこれらを共役する第１壁面パネル側係止部９が形成されることになる。
【００１８】
上記のように側端部の調製処理がなされた第１壁面パネルＷ１は、第２壁面パネルＷ２とコーナー部においてジョイナー７を介してコーナー連結がなされる。第２壁面パネルＷ２の側端部裏面に固着一体とされた中空柱４のコーナー側側壁部４ａには、長軸をその長手方向に沿うよう複数のだるま孔（第２壁面パネル側係止孔）１０が長手方向に沿って適宜間隔毎に開設されている。このだるま孔１０は、上記同様径大部分１０ａと径小部分（長孔部分）１０ｂとが上下に連続する孔とされ、第２壁面パネル側係止部を構成する。
【００１９】
ジョイナー７は直交２部片７ａ、７ａからなる金属製（アルミニウム等）のアングル材であり、これら直交２部片７ａ、７ａの外面（各壁面パネルＷ１、Ｗ２側）には、前記第１壁面パネル側係止孔９及び第２壁面パネル側係止孔１０に対応する複数の突起１１、１２が設けられている。この突起１１、１２は、夫々径大の先側部分１１ａ、１２ａと径小の基部側部分１１ｂ、１２ｂとが連続するコーン状に形成されたものであり、先側部分１１ａ、１２ａの径は、夫々だるま孔８の径大部分８ａ及びだるま孔１０の径大部分１０ａの内径よりやや小とされ、また、基部側部分１１ｂ、１２ｂの径は、夫々同径小部分８ｂ及び１０ｂの内径よりやや小とされている。
【００２０】
上記第１壁面パネルＷ１及び第２壁面パネルＷ２は、図５に示すようなユニットバスルームのコーナーＡ或いはＢの位置に互いの側端部が近接するよう仮置きされる。そして、両壁面パネルＷ１及び壁面パネルＷ２間にジョイナー７を、複数の突起１１、１２が夫々だるま孔８の径大部分８ａ及びだるま孔１０の径大部分１０ａに対応するよう位置させ、第１壁面パネルＷ１及び第２壁面パネルＷ２を横移動させて、突起１１、１２をだるま孔８の径大部分８ａ及びだるま孔１０の径大部分１０ａに挿入させると共に支持具６の側壁部６ａ及び中空柱４のコーナー側側壁部４ａをジョイナー７の直交２部片７ａ、７ａの外面に合体させる。
【００２１】
その後、ジョイナー７をその上端を叩き込むようにして下動させると、突起１１、１２の基部側部分１１ｂ、１２ｂが、各だるま孔８及びだるま孔１０の径小部分８ｂ及び１０ｂに図４の１点鎖線で示すように嵌まり込む。この場合、突起１１、１２の先側部分１１ａ、１２ａと径小の基部側部分１１ｂ、１２ｂとが連続するコーン状とされているから、上記叩き込みに伴う嵌まり込みの際、突起１１、１２の斜めの周壁部における分力が楔状に作用して突起１１、１２とだるま孔８、１０とが強く契合し、両パネルＷ１、Ｗ２がジョイナー７を介して極めて強固に結合連結される。そして、図１に示すＸ部に湿式のコーキング材（目地材）を充填すれば、第１壁面パネルＷ１及び第２壁面パネルＷ２のコーナー連結が完了する。
【００２２】
このように、第１壁面パネルＷ１及び第２壁面パネルＷ２のコーナー連結は極めて簡易且つ確実になされる。従って、異なる種類の壁面パネルを用いてユニットバスルーム等を組立構築したいと言う要望に的確に応えることができ、設置場所等に応じた壁面パネルの選択的使用により、多様なユニットバスルーム等の組立構築を実現することができる。
【００２３】
尚、上記コーナー連結部の下端及び上端には、第１壁面パネルＷ１及び第２壁面パネルＷ２に跨る結合ブロックを適宜装着してその連結強度をより強固なものとすることも可能である。また、ジョイナー７の角部に前記特許文献１の図９に示すような治具挿入孔を形成することも可能である。このような治具挿入孔を形成すれば、図５に示すようなユニットバスルームの組立に際して、室内側からジョイナー７を支持することができ、その作業の効率化が図られる。更に、実施例では第１壁面パネルＷ１及び第２壁面パネルＷ２として、基材が金属板で形成されたもの及び基材がセメント板等の非金属材料で形成されたものを例示したが、これらに限定されず、その他の互いに異なる種類の壁面パネル同士のコーナー連結にも本発明が適用可能であることは言うまでもない。
【図面の簡単な説明】
【００２４】
【図１】本発明の壁面パネルのコーナー連結構造の一例を示す横断面図である。
【図２】パネル取付基材に支持具を仮固定する要領を示す斜視図であり、（ａ）はその前段階を、（ｂ）は仮固定した状態を示す。
【図３】パネル取付基材を第１壁面パネルの側端部折曲部に宛がい折曲部とパネル取付基材とを支持具で挟装一体に支持させる要領を示す斜視図である。
【図４】第１壁面パネルと第２壁面パネルとをジョイナーを介してコーナー連結する要領を示す斜視図である。
【図５】ユニットバスルームの一例を示す平面図である。
【図６】図６（ａ）（ｂ）は、従来の壁面パネルのコーナー連結構造の他の例を示す説明図であり、（ａ）は金属基材の表面を樹脂シートで覆った壁面パネル同士のコーナー部での連結状態を室内側から見た要部の斜視図、（ｂ）は基材をセメント板とした壁面パネル同士のコーナー部での連結状態を室外側から見た要部の斜視図である。
【符号の説明】
【００２５】
２      パネル材（表面化粧板）
２ａ    折曲形成基部
２ｂ    突条部
４      中空柱
５      パネル取付基材
５ａ    凹溝
５ｂ    長穴
６      支持具
７      ジョイナー
８      だるま孔（第１壁面パネル側係止孔）
８ａ    径大部分
８ｂ    径小部分
１０    だるま孔（第２壁面パネル側係止孔）
１０ａ  径大部分
１０ｂ  径小部分
１１、１２    突起
１１ａ、１２ａ    先側部分
１１ｂ、１２ｂ    基部側部分
Ｗ１    第１壁面パネル
Ｗ２    第２壁面パネル
【図１】
2006090060.tif 000003
【図２】
2006090060.tif 000004
【図３】
2006090060.tif 000005
【図４】
2006090060.tif 000006
【図５】
2006090060.tif 000007
【図６】
2006090060.tif 000008